(57)【要約】      （修正有）【課題】通報装置扉に対する電装機器の取付け、点検時の復旧、更に故障した場合の交換が簡単且つ容易に行えるようにする。【解決手段】消火栓装置に設けられた通報装置扉２８は、消火栓装置の筐体１２−２に開閉自在に設けられた扉本体４８及び複数の電装機器が組み付けられた板状の機器取付部材５０で構成される。機器取付部材５０には、一方の側端から外側に張出された複数のヒンジ片５４が設けられると共に他方の側端側に通し穴が設けられ、扉本体５２の裏面のスリット溝６０に機器取付部材５０のヒンジ片５４を差し込ことでを抜け止め状態で揺動自在に支持され、機器取付部材５０の通し穴を介して扉本体５２の裏面のねじ穴にねじをねじ込むことで、機器取付部材５０を締め付け固定させる。【選択図】図３
2018139704.tif 000002
【特許請求の範囲】
【請求項１】
防災機器収納装置の通報装置扉に於いて、
前記消火栓装置の筐体に開閉自在に設けられた扉本体と、
複数の電装機器が組み付けられた板状の機器取付部材と、
で構成され、
前記機器取付部材には、一方の側端から外側に張出された複数のヒンジ片が設けられると共に他方の側端側に通し穴が設けられ、
前記扉本体の裏面には、前記機器取付部材に設けられた前記ヒンジ片の差し込みを受けて前記機器取付部材を抜け止め状態で揺動自在に支持させる複数のスリット溝が設けられ、
更に、前記扉本体の裏面には、前記スリット溝に対する前記ヒンジ片の差し込みにより揺動自在に支持された前記機器取付部材を、前記通し穴を介したねじ部材のねじ込みを受けて締め付け固定させるねじ穴が設けられたことを特徴とする通報装置扉。
【請求項２】
請求項１記載の通報装置扉に於いて、
前記機器取付部材には、扉前方に向けて赤色表示灯、発信機本体及び応答ランプが取付けられると共に扉内に向けて電話ジャックが取付けられ、
前記扉本体には、前記赤色表示灯に相対した開口穴に表示灯カバーが設けられ、前記発信機本体に相対した開口穴に押し込みに操作により離脱して前記発信機本体のスイッチノブを押圧してオンさせる保護カバーが設けられ、更に、前記応答ランプに相対した開口穴にランプカバーが設けられたことを特徴とする通報装置扉。
【発明の詳細な説明】
【技術分野】
【０００１】
本発明は、赤色表示灯や発信機が設けられたトンネル用消火栓装置及び消火器箱等の防災機器収納装置の通報装置扉に関する。
【背景技術】
【０００２】
従来、高速道路や自動車専用道路などのトンネル内に設置する消火栓装置は、開閉自在な消火栓扉を備えた筐体の消火栓収納部に、先端にノズルを装着したホースとバルブ類が収納され、また、開閉自在な消火器扉を備えた消火器収納部に例えば２本の消火器が収納され、更に、消火栓扉と消火器扉の間に通報装置扉が設けられ、通報装置扉には赤色表示灯、発信機（手動通報装置）及び応答ランプが設けられ、また通報装置扉の内側には電話ジャックが設けられている。
【０００３】
赤色表示灯は常時点灯し、消火栓装置の設置場所が遠方から分かるようにしている。火災時には、発信機を押して押し釦スイッチをオンすると、発信信号が監視室の防災受信盤に送信されて火災警報が出され、これに伴い応答信号が防災受信盤から送られて、応答ランプを点灯し、更に、赤色表示灯が点滅する。
【先行技術文献】
【特許文献】
【０００４】
【特許文献１】特開２０１６−０５５０７３号公報
【特許文献２】特開２００１−２５０７１４号公報
【発明の概要】
【発明が解決しようとする課題】
【０００５】
しかしながら、このような従来の消火栓装置における通報装置扉にあっては、赤色表示灯、発信機及び応答ランプ等の電装機器を通報装置扉に取付穴を形成して直接に取り付けており、消火栓装置の組み立てにあっては、装置筐体に通報装置扉を組付けた後に電装機器を通報装置扉に取り付ける作業が必要となり、扉に対する電装機器の取付けに手間と時間がかかる問題がある。
【０００６】
また、火災を伴う車両事故が発生した場合には、事故車両の運転者等の利用者は通報装置扉の発信機を操作して火災発生を通報するが、発信機の操作は保護カバーの押し込みにより押し釦スイッチをオンしており、保護カバーは押し込みによりパネル穴から外れて内部に落ち込んだ状態となる。このため発信機を復旧させる場合には、通報装置扉を開いて発信機の内部に脱落している保護カバーを取り出してパネル穴に嵌め戻す作業が必要となり、操作した発信機の復旧に手間と時間がかかる問題がある。
【０００７】
また、消火栓装置の点検では発信機を操作して通報動作を確認する場合があり、この場合にも操作した発信機の内部に脱落している保護カバーを取り出してパネル穴に嵌め戻す復旧作業が必要となり、点検に手間と時間がかかる問題がある。
【０００８】
更に、運用中に電装機器が故障した場合には、トンネル内の設置現場で通報装置扉から故障した電装機器を取り外して新品に交換する作業が必要となり、通報装置扉に直接固定している故障した電装機器を取り外して新品に交換することから、故障した電装機器の交換に手間と時間がかかる問題がある。
【０００９】
本発明は、通報装置扉に対する電装機器の取付け、点検時の復旧、更に故障した場合の交換が簡単且つ容易に行えるようにした消火栓装置の通報装置扉を提供することを目的とする。
【課題を解決するための手段】
【００１０】
（通報装置扉）
本発明は、防災機器収納装置の通報装置扉に於いて、
消火栓装置の筐体に開閉自在に設けられた扉本体と、
複数の電装機器が組み付けられた板状の機器取付部材と、
で構成され、
機器取付部材には、一方の側端から外側に張出された複数のヒンジ片が設けられると共に他方の側端側に通し穴が設けられ、
扉本体の裏面には、機器取付部材に設けられたヒンジ片の差し込みを受けて機器取付部材を抜け止め状態で揺動自在に支持させる複数のスリット溝が設けられ、
更に、扉本体の裏面には、スリット溝に対するヒンジ片の差し込みにより揺動自在に支持された機器取付部材を、通し穴を介したねじ部材のねじ込みを受けて締め付け固定させるねじ穴が設けられたことを特徴とする。
【００１１】
（電装機器）
機器取付部材には、扉前方に向けて赤色表示灯、発信機本体及び応答ランプが取付けられると共に扉内に向けて電話ジャックが取付けられ、
扉本体には、赤色表示灯に相対した開口穴に表示灯カバーが設けられ、発信機本体に相対した開口穴に押し込みに操作により離脱して発信機本体のスイッチノブを押圧してオンさせる保護カバーが設けられ、更に、応答ランプに相対した開口穴にランプカバーが設けられる。
【発明の効果】
【００１２】
（基本的な効果）
本発明は、防災機器収納装置の通報装置扉に於いて、消火栓装置の筐体に開閉自在に設けられた扉本体と、複数の電装機器が組み付けられた板状の機器取付部材とで構成され、機器取付部材には、一方の側端から外側に張出された複数のヒンジ片が設けられると共に他方の側端側に通し穴が設けられ、扉本体の裏面には、機器取付部材に設けられたヒンジ片の差し込みを受けて機器取付部材を抜け止め状態で揺動自在に支持させる複数のスリット溝が設けられ、更に、扉本体の裏面には、スリット溝に対するヒンジ片の差し込みにより揺動自在に支持された機器取付部材を、通し穴を介したねじ部材のねじ込みを受けて締め付け固定させるねじ穴が設けられたため、複数の電装機器は予め機器取付部材に取り付けておくことができ、電装機器が取り付けられた機器取付部材をヒンジ片による扉本体側のスリット溝に嵌め入れた後の扉裏面側に閉じてねじによる示し付け固定するだけで済み、扉本体に対する電装機器の取付け作業が極めて簡単且つ容易となり、生産効率を高めることができる。
【００１３】
また、トンネル内に消火栓装置が設置された運用中に、電装機器が故障して交換する場合にも、通報装置扉を開いて機器取付部材を扉裏面に固定しているねじ外すだけで、電装機器を取り付けている機器取付部材を扉本体から簡単に外すことができ、機器取付部材の故障した電装機器の交換で済むことから、消火栓扉に直接取り付けている電装機器を交換する場合に比べ、簡単且つ容易に故障した電装機器の交換作業を行うことができる。
【００１４】
（電装機器）
また、機器取付部材には、扉前方に向けて赤色表示灯、発信機本体及び応答ランプが取付けられると共に扉内に向けて電話ジャックが取付けられ、
扉本体には、赤色表示灯に相対した開口穴に表示灯カバーが設けられ、発信機本体に相対した開口穴に押し込みに操作により離脱して発信機本体のスイッチノブを押圧してオンさせる保護カバーが設けられ、更に、応答ランプに相対した開口穴にランプカバーが設けられたため、電装機器は本体側が機器取付部材に取付けられ、表示灯カバーや保護カバーといった付属部分が扉本体の裏面に設けられており、扉本体は電装機器に対応した開口穴を形成するだけで良く、扉裏面側から電装機器が取り付けられる扉本体の構造を簡単にすることができる。
【００１５】
また発信機は、機器取付部材にスイッチノブを備えた発信機本体が取り付けられ、これに相対した扉本体の装着穴に保護カバーが押し込みにより離脱できるように設けられているため、保護カバーの押し込みにより操作した発信機を復旧させる場合には、機器取付部材のねじを外してヒンジ片により開くことで、押し込みにより離脱している保護カバーを扉本体の装着穴に簡単に嵌め戻すことができる。
【００１６】
また、点検時の発信機の操作は、機器取付部材のねじを外してヒンジ片により開いて発信機本体のスイッチノブを操作することで、保護カバーを押し込むことなく、発信機を直接操作することができ、保護カバーを嵌め戻す復旧作業が不要となり、発信機の操作を伴う点検が簡単且つ容易にできる。
【図面の簡単な説明】
【００１７】
【図１】消火器扉と消火器扉の間に通報装置扉が設けられたトンネル用の消火栓装置を示した説明図
【図２】図１の通報装置扉を開いた状態を示した説明図
【図３】通報装置扉の実施形態を扉開放状態で示した説明図
【図４】図３の機器取付部材を取り出して示した説明図
【図５】扉本体の裏側に対する機器取付部材の組付け状態を示した説明図
【発明を実施するための形態】
【００１８】
図１は消火器扉と消火器扉の間に通報装置扉が設けられたトンネル用の消火栓装置を示した説明図、図２は図１の通報装置扉を開いた状態を示した説明図である。
【００１９】
図１及び図２に示すように、消火栓装置１０は、消火栓側と消火器側に筐体１２−１，１２−２を分割した構造であり、前面に分割した化粧板１４−１，１４−２を各々装着し、筐体１２−１，１２−２に対し必要な機器及び部材を組付けた後に連結固定し、この状態でトンネル現場に搬入して架台１１上に設置している。
【００２０】
右側の化粧板１４−１の扉開口部１６は上下に２分割し、下側扉開口部にヒンジ１８により下向きに開く前傾式の消火栓扉２０が配置され、上側扉開口部にヒンジ２２により上向きに開く保守扉として機能する上扉２４が配置され、その内部にノズル付きのホースと消火栓弁を含むバルブ類が収納部されている。
【００２１】
扉開口部１６の左側には、ヒンジ２６により右に横開きする通報装置扉２８が設けられ、ここに赤色表示灯３０、発信機（手動通報装置）３２及び応答ランプ３３が設けられ、また電装品扉２８の内側には電話ジャック３４が設けられている。なお、応答ランプ３３は通報装置扉２８に直接設けられている。
【００２２】
赤色表示灯３０は常時点灯し、消火栓装置１０の設置場所が遠方から分かるようにしている。火災時には、発信機３２を押して押し釦スイッチをオンすると、発信信号が監視室の防災受信盤に送信されて火災警報が出され、これに伴い応答信号が防災受信盤から送られて、赤色表示灯３０が点滅し、応答ランプ３３が点灯する。
【００２３】
発信機３２は通報装置扉２８の前面となるパネル面側の装着穴に保護カバーが設けられており、保護カバーを押し込むと装着穴から外れて内部の押し釦スイッチの操作ノブが押し込まれ、押し釦スイッチがオンして発信信号が送信される。
【００２４】
電装品扉２８の左側には、ヒンジ３６により左に横開きする消火器扉３８が設けられ、内部に２本の消火器を収納可能としている。消火器扉３８は扉閉鎖保持機構４０により閉鎖位置に保持されており、扉右端の略中央に設けたハンドル４２を手前に引くことで、磁気吸着による閉鎖保持を解除して消火器扉３８を左側に開くことができる。また、消火器扉３８の下側には覗き窓４４が設けられ、外部から消火器の収納状態の有無を確認可能としている。
【００２５】
［通報装置扉の構成］
図３は通報装置扉の実施形態を扉を開いた状態で示した説明図であり、図３（Ａ）に側面を示し、図３（Ｂ）に裏面を示し、図３（Ｃ）に図３（Ｂ）のＸ−Ｘ断面を示す。また、図４は図３の機器取付部材を取り出して示した説明図であり、図４（Ａ）に側面を示し、図４（Ｂ）に正面を示し、図４（Ｃ）に図４（Ｂ）のＹ−Ｙ断面を示す。更に、図５は扉本体の裏側に対する機器取付部材の組付け状態を示した説明図である。
【００２６】
（通報装置扉の概要）
図３に示すように、本実施形態の通報装置扉２８は、扉本体４８及び機器取付部材５０で構成される。扉本体４８は上下のヒンジ２６により筐体１２−２の開口部に横方向に開閉自在に設けられている。
【００２７】
（機器取付部材の構成）
機器取付部材５０は、図４に示すように、縦長矩形の板状の部材であり、
上側から順に赤色表示灯３０、発信機３２、電話ジャック３４及び応答ランプ３３が取付られている。赤色表示灯３０は表示灯本体３０ａと表示灯カバー３０ｂで構成されており、取付穴に前方から表示灯本体３０ａを嵌め入れてねじ止め固定されている。
【００２８】
発信機３２は発信機本体３２と操作ノブ３２ｂを備えた押し釦スイッチであり、操作ノブ３２ｂが機器取付部材５０の表側に位置するように取付穴に裏側から嵌め入れて固定されており、操作ノブ３０ｂにはゴムキャップ６６が嵌め込まれている。
【００２９】
電話ジャック３４は機器取付部材５０の横方向への切起し部５０ａに設けられた取付穴に装着されており、ジャック穴の開口側には吊り紐３４ｃで連結されたキャップ３４ｂが嵌め込まれ、キャップ３４ｂを外して電話機プラグをジャック穴に接続することで、防災センター側との通話を可能としている。
【００３０】
応答ランプ３３は機器取付部材５０の取付穴に後方から嵌め入れて固定されている。
【００３１】
また、機器取付部材５０の一方の側端から外側に張出された複数のヒンジ片５４が設けられている。ヒンジ片５４は張出部分の先端下側に抜け止め突起５６が一体に形成されており、図４（Ｃ）の断面に示すように、ヒンジ片５４は屈曲形成されている。更に、機器取付部材５０に設けられたヒンジ片５４の反対の側端側には通し穴６８が設けられている。
【００３２】
（扉本体に対する機器取付部材の取付構造）
図３及び図５に示すように、通報装置扉２８における扉本体４８のヒンジ２６側の扉付け根部の裏面には矩形のアングル部５８が形成され、アングル部５８には、機器取付部材５０のヒンジ片５４に対応して複数のスリット溝６０が縦方向に形成されている。
【００３３】
また、扉本体４８の裏面にはアングル部５２が固定され、アングル部５２には３箇所に分かれて支持部５２ａが切起されており、支持部５２ａには、機器取付部材５０の通し穴６８に対応した位置にねじ穴７０が設けられている。
【００３４】
また、図３（Ｂ）の断面図から明らかなように、機器取付部材５０の赤色表示灯３０に相対した扉本体４８には表示灯開口穴７４が設けられ、この表示灯開口穴７６には内側から表示灯カバー３０ｂが設けられている。また、機器取付部材５０の発信機３２に相対した扉本体４８には発信機開口穴７６が設けられ、この発信機開口穴７６には保護カバー６４が外側からの押し込みにより離脱できるように嵌め込まれている。保護カバー６４は透明樹脂で作られており、発信機３２の操作ノブ３２ｂに嵌め込まれたゴムキャップ６６の先端側が嵌め込まれている。
【００３５】
発信機３２を操作する場合には、扉本体４８の表側から保護カバー６４を押し込むと、発信機開口穴７６から保護カバー６４が外れて押し込まれ、ゴムキャップ６６を介して操作ノブ３２ｂが押し込まれることで発信機３２を構成する押し釦スイッチがオンして発信信号を防災センター側に送信する。
【００３６】
操作した発信機３２を復旧する場合には、押し込みにより発信機開口穴７６から離脱した保護カバー６４を発信機開口穴７６に内側から嵌め戻す復旧作業が必要となる。
【００３７】
機器取付部材５０の応答ランプ３３に相対した扉本体４８にはランプ開口穴７８が設けられ、このランプ開口穴７８には内側からランプカバー３３ａが設けられている。
【００３８】
（扉本体に対する機器取付部材の着脱）
図５に示すように、扉本体４８に対する機器取付部材５０の取付けは、機器取付部材５０の片側に設けられたヒンジ片５４を扉本体４８の裏面に設けられたスリット溝６０に位置合わせして嵌め入れて下側に引き下ろすことで、揺動自在に支持される。
【００３９】
この状態でヒンジ片５４を支点に機器取付部材５０を扉裏面に向けて閉じ、扉本体４８の裏面のねじ穴７０に機器取付部材５０の通し穴６８を位置合わせした状態で、図３（Ｂ）に示すように、ねじ７２を嵌め入れて締め付け固定する。
【００４０】
図３に示す扉本体４８に対する機器取付部材５０の組付け固定状態で、例えば、赤色表示灯３０や発信機３２等の電装機器を交換したい場合には、ねじ７２を取り外すことで、ヒンジ片５４を支点に機器取付部材５０を扉裏面から開き、更に、必要があればスリット溝６０からヒンジ片５４を抜き出して機器取付部材５０を扉本体４８から取り外すことで、必要とする電装機器の交換作業が簡単にできる。
【００４１】
また、保護カバー６４の押し込みにより発信機３２を操作した場合の復旧作業では、ねじ７２を取り外してヒンジ片５４を支点に機器取付部材５０を扉裏面から開くことで、外れている保護カバー６４を発信機開口穴７６に簡単に嵌め戻して復旧させることができる。
【００４２】
更に、点検時に発信機３２を操作したい場合には、扉本体４８を開き、ねじ７２を取り外してヒンジ片５４を支点に機器取付部材５０を扉裏面から開き、この状態でゴムキャップ６６を介して操作ノブ３２ｂを押し込むことで押し釦スイッチをオンさせることができ、復旧操作を必要とする保護カバー６４の押し込み操作を行うことなく、発信機３２を簡単に操作することができる。
【００４３】
［本発明の変形例］
上記の実施形態にあっては、機器取付部材に設けられる電装機器として赤色表示灯、発信機、及び電話ジャックを例にとっているが、これに限定されない。例えば、機器取付部材に設けられる電装機器として赤色表示灯、発信機及び電話ジャックに加え、応答ランプを設ける場合にもそのまま適用できる。
【００４４】
また、上記の実施形態は、消火栓装置に一体に設けられた通報装置扉を例にとっているが、消火器箱又は単独の通報装置の扉についても適用でき、更に、ビル等の屋内に設置されている防災機器の収納箱に設けられた通報装置扉や単独の通報装置の扉にも適用できる。
【００４５】
また、本発明は、その目的と利点を損なうことのない適宜の変形を含み、更に上記の実施形態に示した数値による限定は受けない。
【符号の説明】
【００４６】
１０：消火栓装置
１１：架台
１６：扉開口部
１８，２２，２６，３６：ヒンジ
２０：消火栓扉
２４：上扉
２８：通報装置扉
３０：赤色表示灯
３０ａ：表示灯本体
３０ｂ，６２：表示灯カバー
３２：発信機
３２ａ：発信機本体
３２ｂ：操作ノブ
３３：応答ランプ
３３ａ：ランプカバー
３４：電話ジャック
３４ａ：ジャック本体
３４ｂ：キャップ
３４ｃ：吊り紐
３８：消火器扉
４８：扉本体
５０：機器取付部材
５２，５８：アングル部
５２ａ：支持部
５４：ヒンジ片
５６：抜止め突起
６０：スリット溝
６４：保護カバー
６６：ゴムキャップ
６８：通し穴
７０：ねじ穴
７２：ねじ
７４：表示灯開口穴
７６：発信機開口穴
７８：ランプ開口穴
【図１】
2018139704.tif 000003
【図２】
2018139704.tif 000004
【図３】
2018139704.tif 000005
【図４】
2018139704.tif 000006
【図５】
2018139704.tif 000007